(57)【要約】  干渉信号の広帯域キャンセレーションのための方法及び装置を提供する。或る通信パス上で送信される信号は、システム内の別の通信パス上の受信器に対する干渉信号として働く。一実施の形態では、或る無線規格又はプロトコルを使用してアンテナから送信される信号は、同じシステムに配置され、別のワイヤレス規格又はプロトコルを使用し、同じ又は近い周波数帯域で動作している別のアンテナへの干渉信号として働く。時間遅延を干渉信号からサンプリングされた信号に付加して、干渉信号の実質的に広帯域なキャンセレーションを提供する。サンプリングされた信号は、第２の通信パス上の干渉信号の振幅に合致するように減衰させることができる。或る通信パスからサンプリングされた信号の他の通信パスへの結合により、１８０度位相シフトをサンプリングされた信号に提供することができる。
2007507983.tif 000002
【特許請求の範囲】
【請求項１】
干渉信号からサンプリングされた信号に時間遅延を付与することであって、それによって前記干渉信号の実質的に広帯域なキャンセレーションを提供する、時間遅延を付与することを含む方法。
【請求項２】
実質的に広帯域なキャンセレーションを提供することは、前記サンプリング信号の振幅を前記干渉信号の振幅に実質的に合致させることを含む、請求項１記載の方法。
【請求項３】
実質的に広帯域なキャンセレーションを提供することは、前記サンプリング信号の振幅を前記干渉信号の振幅に約０．１ｄｂ精度以内で実質的に合致させることを含む、請求項１記載の方法。
【請求項４】
約１８０度の位相シフトを前記干渉信号からサンプリングされた前記信号に提供することをさらに含む、請求項１記載の方法。
【請求項５】
約１８０度の位相シフトを前記干渉信号からサンプリングされた前記信号に提供することは、サンプリング時に約９０度の位相シフトを提供すること、及び前記干渉信号を受信する信号パスに前記サンプリング信号を結合する際に約９０度の位相シフトを提供することを含む、請求項４記載の方法。
【請求項６】
前記干渉信号を送信器から関連するアンテナを通る信号として生成することをさらに含み、前記干渉信号の前記実質的に広帯域なキャンセレーションが、受信器に関連する第２のアンテナにより受信される前記干渉信号に対して施される、請求項１記載の方法。
【請求項７】
前記サンプリング信号及び前記干渉信号を受信する信号パスからの受信信号強度を監視すること、及び前記信号パスから受信する前記信号強度を最小化するように前記時間遅延を調整すること、をさらに含む、請求項１記載の方法。
【請求項８】
実質的に広帯域なキャンセレーションを提供することは、実質的に広帯域なキャンセレーションを干渉信号に提供することを含み、前記干渉信号は装置の送信アンテナから前記装置の受信アンテナに伝搬し、前記送信アンテナは第１のワイヤレスプロトコルを使用し、前記受信アンテナは第２のワイヤレスプロトコルを使用する、請求項１記載の方法。
【請求項９】
第１の信号パスから第２の信号パスに伝搬する補正信号に時間遅延を提供すること、
前記補正信号の振幅を調整すること、及び
前記補正信号の前記時間遅延を周期的にリセットし、前記振幅を調整することであって、それによって前記第１の信号パスと前記第２の信号パスの間の干渉パスを介して伝搬する干渉信号の実質的に広帯域なキャンセレーションを提供し、前記干渉パスは前記補正信号のプライマリパスから離れている、リセットし調整すること、
を含む方法。
【請求項１０】
前記干渉信号をサンプリングすることであって、それによって前記補正信号を生成する、サンプリングすることをさらに含む、請求項９記載の方法。
【請求項１１】
前記時間遅延を周期的にリセットし前記振幅を調整することは、前記第１の信号パス又は前記第２の信号パスに沿って通信信号が外部に送信又は外部から受信していない時間間隔中に行われる、請求項９記載の方法。
【請求項１２】
前記第１の信号パスに沿ってテスト信号を送信すること、
前記第２の信号パスから前記テスト信号に関連する応答信号を受信することであって、前記応答信号は信号強度を有する、受信すること、及び
前記信号強度を最小化するように前記時間遅延を調整し前記振幅を調整すること、
を含む、繰り返しプロセスにより、スタートアッププロセス中に初期時間遅延及び初期振幅調整を提供することをさらに含む、請求項９記載の方法。
【請求項１３】
第１の信号パスと、
第２の信号パスと、
前記第１の信号パスから前記第２の信号パスに伝搬する補正信号に時間遅延を提供する調整可能遅延線と、
前記補正信号が前記第１の信号パスから前記第２の信号パスに伝搬する干渉信号に合致して、それによって、前記干渉信号の実質的に広帯域なキャンセレーションを提供するように前記調整可能遅延線に結合される可変減衰器と、
を備える装置。
【請求項１４】
前記調整可能遅延線は１つ又は複数の微小電気機械スイッチを備える、請求項１３記載の装置。
【請求項１５】
前記調整可能遅延線は、誘電率を変更して前記補正信号の伝搬速度を調整することができる材料を含む、請求項１３記載の装置。
【請求項１６】
前記材料はチタン酸バリウムストロンチウムである、請求項１５記載の装置。
【請求項１７】
前記補正信号を前記第１の信号パスから前記調整可能遅延までのプライマリパスに結合する第１のタップをさらに備える、請求項１３記載の装置。
【請求項１８】
前記プライマリパスを前記第２の信号パスに結合する第２のタップをさらに備える、請求項１７記載の装置。
【請求項１９】
前記調整可能遅延線に結合された位相補正器をさらに備える、請求項１３記載の装置。
【請求項２０】
前記可変減衰器、前記調整可能遅延線、及び前記位相補正器を管理するコントローラをさらに備える、請求項１９記載の装置。
【請求項２１】
前記第１の信号パスは送信器及び第１のアンテナを備え、前記第２の信号パスは受信器及び第２のアンテナを備える、請求項１３記載の装置。
【請求項２２】
前記第１の信号パスは、前記送信器に結合される送信線及び前記第１のアンテナに結合され、固定伝搬遅延を有する第１のケーブルをさらに備える、請求項２１記載の装置。
【請求項２３】
前記送信器は第１のワイヤレスプロトコルを使用する第１の送受信器であり、前記受信器は第２のワイヤレスプロトコルを使用する第２の送受信器である、請求項２１記載の装置。
【請求項２４】
プロセッサと、
該プロセッサに結合されたメモリと、
前記プロセッサに応答する信号が送信される第１の信号パスと、
該第１の信号パスに結合され、それによって、該第１の信号パスから前記信号を送信する第１のアンテナと、
前記プロセッサに通信を提供する信号が受信される第２の信号パスと、
前記第１の信号パスから前記第２の信号パスに伝搬する補正信号に時間遅延を提供する調整可能遅延線と、
前記補正信号が前記第１の信号パスから前記第２の信号パスに伝搬する干渉信号に合致して、それによって、前記干渉信号の実質的に広帯域なキャンセレーションを提供するように前記調整可能遅延線に結合される可変減衰器と、
を備えるシステム。
【請求項２５】
前記第１の信号パスは、第１のプロトコルを使用して第１の信号を送信する送信器を含み、前記第２のパスは第２のプロトコルを使用して第２の信号を受信する受信器及び第２のアンテナを含む、請求項２４記載のシステム。
【請求項２６】
前記可変減衰器及び前記調整可能遅延線を管理するコントローラをさらに含む、請求項２４記載のシステム。
【請求項２７】
前記補正信号を前記第１の信号パスから前記調整可能遅延までのプライマリパスに結合する第１のタップと、前記プライマリパスを前記第２の信号パスに結合する第２のタップと、をさらに備え、前記第１のタップ及び前記第２のタップはそれぞれ約９０度の位相シフトを前記補正信号に提供する、請求項２４記載のシステム。
【請求項２８】
前記第１の信号パスに結合され、前記第２の信号パスに結合されるデータ受信モジュールと同じ場所に配置されるデータ送信モジュールをさらに備える、請求項２４記載のシステム。
【請求項２９】
コンピュータである、請求項２４記載のシステム。
【請求項３０】
ラップトップコンピュータである、請求項２４記載のシステム。
【発明の詳細な説明】
【技術分野】
【０００１】
本発明の実施の形態は、包括的には信号干渉キャンセレーションに関する。
【発明の開示】
【課題を解決するための手段】
【０００２】
以下の詳細な説明では、特定の詳細及び本発明を実施することができる実施形態を例として示す添付図面を参照する。これらの実施形態について、当業者が本発明を実施できるように十分に詳細に説明する。他の実施形態も利用することが可能であり、構造的、論理的、及び電気的な変更を本発明の範囲から逸脱することなく行うことが可能である。本明細書において開示する各種実施形態は、開示する実施形態によっては１つ又は複数の他の開示する実施形態と組み合わせて新しい実施形態を形成することができるため、必ずしも相互に排他的であるわけではない。したがって、以下の詳細な説明を限定の意味で解釈すべきではなく、本発明の実施形態の範囲は、添付の特許請求の範囲並びに係る特許請求の範囲により権利付与される等価物の全範囲によってのみ規定される。
【発明を実施するための最良の形態】
【０００３】
一実施形態では、干渉信号の広帯域キャンセレーションのための方法は、干渉信号からサンプリングされた信号に時間遅延を付与して、干渉信号の実質的に広帯域なキャンセレーションを提供することを含む。また、サンプリングされる信号の振幅を干渉信号の振幅に合致させることができる。一実施形態では、サンプリングされた信号の振幅を干渉信号の振幅に合致させて、正確な振幅バランスを実現する。このような方法は、通常、或る周波数では良好なキャンセレーションを提供することができるが他の周波数ではキャンセレーションの度合いがはるかに劣る、信号を生成して干渉信号の振幅及び位相を合致させる方法よりも広範囲の周波数にわたってキャンセレーションを提供する。一実施形態では、干渉信号からサンプリングされる信号に時間遅延を付与することを含む干渉信号の広帯域キャンセレーションのための方法は、集積回路（ＩＣ）上に実装される。
【０００４】
図１は、システム１００の２つの信号パス間の干渉信号の広帯域キャンセレーションを提供するシステム１００の一実施形態を示す。システム１００は、第１の信号パス１２０と第２の信号パス１３０の間に遅延線１１０を備える。第１の信号１４０が第１の信号パス１２０に結合されて、第１の信号パス１２０からシステム１００の他のセクション又はシステム１００の外部に送信される。第１の信号１４０は、内部通信信号又はシステム１００からのワイヤレス送信のための通信信号であることができる。第２の信号１５０が、システム１００内の受信信号として第２の信号パス１３０に結合される。第２の信号１５０は、システム１００内外の発信元から受信中の信号である。第２の信号１５０は、内部通信信号又はシステム１００へのワイヤレス送信から受信される通信信号であることができる。一実施形態では、第１の信号１４０は第１のアンテナにより送信される信号であり、第２の信号１５０は第２のアンテナにより受信される信号であり、２つの信号１４０、１５０は異なるワイヤレス規格又はプロトコルの下で生成される。一実施形態では、第１の信号１４０はBluetooth Special Interest Group (SIG), Incにより１９９９年７月に発表されたＢｌｕｅｔｏｏｔｈ（登録商標）規格を使用して送信される信号であり、第２の信号１５０は、ＩＥＥＥ  ８０２．１１ｂ（登録商標）規格、ＩＥＥＥ  Ｓｔｄ,  ８０２．１１ｂ（登録商標）−１９９９を使用して受信される信号である。ＩＥＥＥ  ８０２.１５．１（登録商標）規格の下で発行されたＢｌｕｅｔｏｏｔｈ（登録商標）バージョン、２００２年６月１４日に公開されたＩＥＥＥ  Ｓｔｄ,  ８０２.１１５．１（登録商標）−２００２、及びＩＥＥＥ  ８０２．１１ｇ（登録商標）規格、２００３年７月１１日に発行を予定され、ＩＥＥＥ  ８０２．１１ｂ（登録商標）のデータ速度を拡張するＩＥＥＥ Ｓｔｄ,  ８０２．１１ｇ（登録商標）−２００３、又は他の通信規格等、これらの規格の他のバージョンを、信号１４０の送信及び信号１５０の受信に使用することもできる。一実施形態では、システム１００は集積回路（ＩＣ）であることができる。
【０００５】
第１の信号１４０を第２の信号１５０として受信することを意図しない実施形態では、第２の信号パス１３０上に第１の信号１４０が存在すると、干渉信号１６０が発生する。この存在に伴い、第２の信号パス１３０から結合される受信信号１７０は、所望の第２の信号１５０及び干渉信号１６０の両方を含む。第１の信号１４０が第１のプロトコルの下で動作するワイヤレス信号であり、第２の信号１５０が第２のプロトコルの下で動作するワイヤレス信号である一実施形態では、同じ又は近い周波数帯域でのこれら２つの信号を使用して動作するシステム１００は、干渉信号１６０による干渉であるノイズを受ける。代替の一実施形態では、干渉信号１６０は、アンテナから第２の信号１５０を受信するシステム１００のバス上を伝搬する第１の信号１４０によってもたらされる。別の実施形態では、干渉信号１６０は、異なる第２の信号１５０がシステム１００のバスネットワークから第２の信号パス１３０上で受信されるシステム１００のバスネットワーク上を伝搬する第１の信号１４０によってもたらされる。
【０００６】
遅延線１１０は、第１の信号１４０からサンプリングされた信号１８０に時間遅延を提供して、干渉信号１６０の広帯域キャンセレーションを提供する。この広帯域キャンセレーションの結果として、受信信号１７０は実質的に第２の信号１５０である。干渉信号１６０の略完全な広帯域キャンセレーションを提供するには、サンプリングされる信号１８０の振幅が干渉信号１６０の振幅に合致すべきである。一実施形態では、第２の信号パス１３０において、サンプリングされた信号１８０は、約０．１ｄＢ精度で干渉信号１６０の振幅に合致した振幅を有する。一実施形態では、振幅の合致は０．１ｄＢ内の精度である。干渉信号１６０の略完全な広帯域キャンセレーションを提供するために、サンプル信号１８０は、干渉信号１６０の位相から１８０度位相シフトされて第２の信号パス１３０に導入される。一実施形態では、約１８０度の位相シフトがサンプル信号１８０に提供され、約９０度の位相シフトが第１のパス１２０からのサンプリング時に施され、約９０度の位相シフトがサンプリング信号１８０を第２の信号パス１３０に結合する際に施される。
【０００７】
システム１００の大まかな用途が分かっている場合、干渉信号１６０のパス長及びサンプリング信号１８０のパス長を概して算出するか、又は求めることができるシステム１００を設計することができる。システム１００の要素が固定されている場合、第２の信号パス１３０に伝搬する際の信号１６０及び１８０の時間遅延量をまず求めることができる。しかし、システム１００の完全な動作状況は固定ではないため、遅延線１１０は、サンプリング信号１８０に時間遅延を有効に提供するように構成される。一実施形態では、遅延線１１０は、第２の信号１５０がない状態で受信信号１７０の信号強度を最小化するようにサンプリング信号１８０に適用される時間遅延を調整するようになっている。
【０００８】
サンプリング信号１８０及び干渉信号１６０は、第１の信号パス１２０上のサンプリングポイントから異なるパスを通る。サンプリング信号１８０の第１の信号パス１２０から遅延線１１０を経由して第２の信号パス１３０に至るパスは、サンプリング信号１８０への損失が、第１の信号パス１２０からサンプリング信号１８０が第２の信号パス１３０に結合する第２の信号パス１３０上のポイントまでの干渉パスに沿った干渉信号１６０の損失に対応するように設計することができる。損失を合致させるように設計されたパスでは、サンプリング信号１８０の振幅を干渉信号１６０の振幅に合致させることができる。サンプリング信号１８０及び干渉信号１６０の振幅に対する異なるパスの影響によるばらつきを補償するために、減衰器を遅延線１１０に結合して、サンプリング信号１８０の振幅を第２の信号パス１３０での干渉１８０の振幅に合致させるようにサンプリング信号１８０を減衰させることができる。減衰器を含む一実施形態を図２に示す。
【０００９】
図２は、遅延線２１０及び減衰器２１５を有するシステム２００であって、システム２００の２つの信号パス間の干渉信号の広帯域キャンセレーションを提供するシステム２００の一実施形態を示す。システム２００は図１のシステム１００と同様であり、減衰要素が追加されている。遅延線２１０及び減衰器２１５に加えて、システム２００は第１の信号パス２２０及び第２の信号パス２３０を備える。第１の信号２４０は第１の信号パス２２０に結合されて、第１の信号パス２２０からシステム２００の他のセクション又はシステム２００の外部に送信される。第１の信号２４０は、内部通信信号又はシステム２００からのワイヤレス送信のための通信信号であることができる。第２の信号２５０が、システム２００内の受信通信信号として第２の信号パス２３０に結合される。第２の信号２５０は、システム２００内外の発信元から受信中の信号である。第２の信号２５０は、内部通信信号又はシステム２００へのワイヤレス送信から受信される通信信号であることができる。一実施形態では、第１の信号２４０は第１のアンテナにより送信される信号であり、第２の信号２５０は第２のアンテナにより受信される信号であり、２つの信号２４０、２５０は異なるワイヤレス規格又はプロトコルの下で生成される。一実施形態では、システム２００は集積回路（ＩＣ）であってもよい。
【００１０】
遅延線２１０は、第１の信号２４０からサンプリングされた信号２８０に時間遅延を提供して、干渉信号２６０の広帯域キャンセレーションを提供する。この広帯域キャンセレーションの結果として、受信信号２７０は実質的に第２の信号２５０と同じである。減衰器２１５が、サンプリング信号２８０の振幅を第２の信号パス２３０での振幅干渉信号２６０と合致させるようにサンプリング信号２８０を減衰させる。一実施形態では、この振幅合致は約０．１ｄＢ精度で実現される。一実施形態では、振幅合致は０．１ｄＢ以内の精度を有する。一実施形態では、遅延線２１０及び減衰器２１５は、第２の信号２５０がない状態で受信信号２７０の信号強度が最小化するようにサンプリング信号２８０に適用される時間遅延及び減衰を調整するようになっている。
【００１１】
サンプル信号２８０は、干渉信号２６０の位相から１８０度シフトした位相で第２の信号パス２３０に導入される。一実施形態では、約１８０度の位相シフトがサンプル信号２８０に提供され、約９０度の位相シフトが第１のパス２２０からのサンプリング時に施され、約９０度の位相シフトがサンプリング信号２８０を第２の信号パス２３０に結合する際に施される。
【００１２】
図３は、調整可能遅延線３１０を有する広帯域キャンセラ３０５を備えたシステム３００の諸要素の一実施形態のブロック図を示す。広帯域キャンセラ３０５は、送信パス３２０により第１の送受信器３２２に結合され、送信パス３３０により第２の送受信器３３２に結合される。広帯域キャンセラは、送信線３２３、カプラ３２５、及びケーブル３２７を送受信器３２２から関連するアンテナ３２８までの送信パス３２０の一部として備える。広帯域キャンセラは、送信線３３３、カプラ３３５、及びケーブル３３７も送受信器３３２から関連するアンテナ３３８までの送信パス３３０の一部として備える。アンテナ３２８は、全方向性アンテナあるいは１つ又は複数の指向性アンテナであることができ、アンテナ３３８は、全方向性アンテナあるいは１つ又は複数の指向性アンテナであることができる。広帯域キャンセラは、調整可能時間遅延３１０及び可変減衰器３１５と共に、送信パス３２０から送信パス３３０までのパスに結合される位相補正器３９５を備えることもできる。調整可能時間遅延３１０、可変減衰器３１５、及び位相補正器３９５は、コントローラ３９０によって管理される。
【００１３】
送受信器３２２、３３２は両方とも送受信装置である。一実施形態では、関連するアンテナ３２８を備えた送受信器３２２は、或るワイヤレスプロトコル下でワイヤレス信号を送受信し、関連するアンテナ３３８を備えた送受信器３３２は、第２のワイヤレスプロトコル下でワイヤレス信号を送受信する。送受信器３２２は、送受信器３２２から固定の物理距離だけ離れた犠牲受信器である送受信器３３２に対する干渉源として働く。一実施形態では、送受信器３２２からの送信パス３２０及び送受信器３３２への送信パス３３０は対称である。送受信器３３２から関連するアンテナ３３８を経由して送信される信号は、送受信器３２２の送信３２０上の受信信号に対して干渉信号を与え、送受信器３２２は干渉源送受信器３３２に対する犠牲受信器になる。
【００１４】
従来のキャンセレーション法を振幅及び位相の相殺に使用する場合、キャンセレーションは狭帯域幅であり、配備されるシステムに使用される各チャネル搬送周波数毎に調整される。たとえば、Ｂｌｕｅｔｏｏｔｈ（登録商標）は、８０の異なるチャネル周波数を有し、ＩＥＥＥ  ８０２．１１ｂ（登録商標）は最高で１２のチャネル周波数を有するが、通常、３つの直交チャネル周波数のうちの１つのみが使用される。本明細書において教示する実施形態では、時間遅延キャンセレーションにより、関心帯域全体にわたって干渉信号を相殺することができる。一実施形態では、送受信器３２２はＢｌｕｅｔｏｏｔｈ（登録商標）プロトコルの下で動作し、送受信器３３２はＩＥＥＥ  ８０２．１１ｂ（登録商標）プロトコルの下で動作し、又はこの逆で動作する。これらの規格の他のバージョン又は他の通信規格を送受信器３２２、３３２に使用によりできる。別法として、送信器を送受信器３２２に代えて使用してよく、また受信器を送受信器３３２に代えて使用してよい。
【００１５】
送信パス３２０に沿って、送信線３２３は５０Ω送信線を提供する。一実施形態では、送信線３２３はストリップライン送信線として実現される。送信線３２３からの送信信号３４０をカプラ３２５に提供することができる。カプラ３２５は、送信パス３２０に沿って伝搬する送信信号３４０をタップして送信パス３３０に送信してサンプリング信号、すなわち補正信号３８０を提供し、送信パス３２０上を伝搬する送信信号３４０に起因する送信パス３３０上の干渉信号３６０を相殺できるようにする。一実施形態では、カプラ３２５は、送信信号３４０に対して９０度の位相をサンプリング信号３８０に提供する。一実施形態では、カプラ３２５は１０ｄＢカプラである。ケーブル３２７が、送信信号３４０を同報通信するためにカプラ３２５をアンテナ３２８に接続することができる。ケーブル３２７は、アンテナ３３８及び送受信器３３２に対する干渉信号３６０である送信信号３４０の伝搬に固定遅延を提供する。
【００１６】
送信パス３３０に沿って、ケーブル３３７がカプラ３３５に結合して、所望の受信信号３５０を、システム３００による使用のためにアンテナ３３８から送受信器３３２に提供することができる。ケーブル３３７は、固定遅延を受信信号３５０及びこれもまたアンテナ３３８によって捕捉される干渉信号３６０の伝搬に提供する。カプラ３３５は、サンプリング信号３８０を送信パス３３０上にタップして、送信パス３２０上を伝搬している送信信号３４０に起因する送信パス３３０上の干渉信号３６０のキャンセレーションを提供できるようにする。一実施形態では、カプラ３３５は、送信パス３３０に結合する際にサンプリング信号３８０に９０度の位相を提供して、サンプリングされた位相から送信信号３４０に対して総計で１８０度の位相シフトを提供する。一実施形態では、カプラ３３５は１０ｄＢカプラである。送信線３３３は、５０Ω送信線を送信パス３３０に提供する。一実施形態では、送信線３３３はストリップライン送信線として実現される。
【００１７】
アンテナ３２８からの送信信号３４０をアンテナ３３８で受信することを意図しない実施形態では、送信パス３３０上のアンテナ３３８に送信信号３４０が存在することにより、干渉信号３６０が発生する。一実施形態では、アンテナ３２８及びアンテナ３３８は約１０インチ離れており、約２４〜３０ｄＢの分離である。この存在に伴い、送受信器３３２での受信信号３７０は、アンテナ３３８からの所望の受信信号３５０及び干渉信号３６０の両方を含む。送信信号３４０が第１のプロトコルの下で動作するワイヤレス信号であり、所望の受信信号３５０が第２のプロトコルの下で動作するワイヤレス信号である一実施形態では、同じ又は近い周波数帯域でのこれら２つの信号を使用して動作するシステム３００は、干渉信号３６０による干渉であるノイズを受ける。
【００１８】
調整可能遅延線３１０は、干渉信号３６０になる送信信号３４０からサンプリングされた信号３８０に時間遅延を提供して、干渉信号３６０の広帯域キャンセレーションを提供する。調整可能遅延線３１０は異なる実施形態を使用して構築することができる。図４及び図５は、受信信号３７０が実質的に所望の受信信号３５０であるように実質的に広帯域なキャンセレーションを提供する調整可能遅延線３１０の実施形態を示す。
【００１９】
図４は、いくつかの微小電気機械（ＭＥＭ）スイッチを使用した調整可能遅延線４１０の一実施形態を示す。調整可能遅延線４１０は、共に非常に近くに配置される小型スイッチであるＭＥＭスイッチ４１２−１〜４１２−Ｎを備える。いくつかのＭＥＭスイッチ４１２−１〜４１２−Ｎから選択されるスイッチは、接続線４１４−１、４１４−２、…、又は４１４−Ｎを関連するＭＥＭスイッチに短絡させ、又は閉じてアクティブ化して、所望の時間遅延を実装することができる。調整可能時間遅延４１０を通して伝搬する信号のパス長、ひいてはその伝搬時間は、図４に示すラダー構造のステップの１つを閉じるＭＥＭスイッチを閉じることによって変更され、それによって異なるパスを介して信号をルーティングする。
【００２０】
図５は、信号送信を制御するために調整可能な属性を有する送信媒体５１２を使用した調整可能遅延線５１０の一実施形態を示す。送信媒体５１２は、適切な刺激下で誘電率を変化させる誘電率可変部分５１４を備える。適切な刺激は電圧及び温度を含むことができるが、これらに限定されない。部分５１４の誘電率を変化させると、送信媒体５１２を通る信号の送信速度が変化する。信号の送信速度を遅らせることによって信号に時間遅延が提供される。一実施形態では、誘電率可変部分５１４は、ＢＳＴと略されるチタン酸バリウムストロンチウムを含む。誘電率可変属性を有する他の材料を使用することも可能である。
【００２１】
図４、図５に示す一実施形態又は別の実施形態を使用したシステム３００内での調整可能遅延線３１０の使用により、時間遅延が送信信号３４０をサンプリングしたものである補正信号３８０に提供される。付与された時間遅延は、送信パス３３０上の共通ポイントまで干渉信号３６０と略同じ伝搬時間を補正信号３８０に提供する。システム３００の大まかな用途が分かっている場合、補正信号３８０、すなわちサンプリング信号３８０のパス及び干渉信号３６０のパスを、補正信号３８０への損失が、送信パス３２０から補正信号３８０が送信パス３３０に結合する送信パス３３０上のポイントまでの干渉パスに沿った干渉信号３６０の損失に対応するように設計することができるシステム３００を設計することができる。損失を合致させるように設計されたパスを使用して、補正信号３８０の振幅を干渉信号３６０の振幅に実質的に合致させることができる。
【００２２】
異なるパスの振幅補正信号３８０及び干渉信号３６０に対する影響のばらつきを補償するために、可変減衰器３１５が、補正信号３８０の振幅を送信パス３３０での干渉信号３６０の振幅に合致させるような補正信号３８０の減衰を提供する。一実施形態では、振幅合致は約０．１ｄＢ精度で実現される。一実施形態では、振幅合致の精度は０．１ｄＢ以内である。
【００２３】
干渉信号１６０の略完全な広帯域キャンセレーションを提供するために、補正信号又はサンプリング信号３８０が、干渉信号３６０の位相から１８０度位相シフトした状態で送信パス３３０に導入される。一実施形態では、約１８０度の位相シフトが補正信号又はサンプリング信号３８０に提供され、約９０度の位相シフトがカプラ３２５を使用して送信パス３２０からのサンプリング時に施され、約９０度の位相シフトがカプラ３３５を使用して補正信号又はサンプリング信号３８０を第２の信号パス１３０に結合する際に施される。伝搬パスの相違によるサンプリング信号３８０及び干渉信号３６０の位相に対する未知又は予期されないばらつきを補償するために、位相補正器３９５は、サンプリング信号３８０を送信パス３３０に結合するポイントにおいて、サンプリング信号３８０の位相が干渉信号３６０の位相から実質的に１８０度シフトされるようにサンプリング信号３８０の位相に調整を提供する。
【００２４】
調整可能遅延線３１０、可変減衰器３１５、及び位相補正器３９５は、送受信器３２２及び送受信器３３２への制御信号をさらに統制して時間遅延、振幅減衰、及び位相補正のレベルを判断して設定するコントローラ３９０によって管理される。システム３００の初期化プロセスにおいて、コントローラ３９０は送受信器３２２への送信信号を開始して、テスト信号を送信信号３４０として送出する。コントローラ３９０は、送信されるテスト信号３４０のタイミングを制御し、送受信器３３２にテスト信号を探すことを指示する送受信器３３３２への制御信号を生成する。送受信器３３２は、受信信号３７０を表す連続出力をコントローラ３９０に提供し、これは受信信号３５０が存在しないときのテスト信号３４０のレベルを表す。コントローラ３９０は受信信号３７０の振幅を測定して、どの手順をとるかを判断する。受信器信号強度インジケータ（ＲＳＳＩ）を使用して、受信信号３７０の信号強度の指標を提供する。一実施形態では、ＲＳＳＩは、テスト信号の測定値をデジタルフォーマットで提供する。別法として、ＲＳＳＩはアナログフォーマットを提供する。いずれの実施形態でも、ＲＳＳＩは入力信号のレベルの指標を提供し、コントローラ３９０はこの指標から受信信号３７０の性質を判断し、可変減衰器３１５の減衰を管理し、調整可能遅延線３１０の時間遅延の切り替えを指示し、位相補正器３９５での位相調整を統制する。キャンセレーション要素の初期化及び設定は、広帯域キャンセラ３０５が２つの送信パス３２０、３３０に対して対称に構築される場合、テスト信号を送受信器３３２から送信することで実現することもできる。コントローラ３９０は、マイクロコントローラとして、又はシステム３００のメインプロセッサの機能として実現することができる。
【００２５】
図６は、干渉信号の広帯域キャンセレーションを提供する方法の一実施形態のフローチャートを示す。方法の実施形態は、図６に示すように、ブロック６１０において干渉信号からサンプリングされた信号を提供すること、及びブロック６２０において時間遅延をサンプリング信号に付与することを含む。広帯域キャンセレーションを提供する方法のこの実施形態は、本明細書において教示する調整可能遅延線を使用した構造の各種実施形態で実現することができる。一実施形態では、全体のパフォーマンスは、振幅を合致させ、サンプリング信号を広帯域幅にわたって干渉信号と実質的に正反対の位相にすることによって向上する。広帯域幅にわたって逆位相を実現することは大方、時間遅延を提供することを通して実現されるが、小さな位相調整を施して、システムの回路に導入される位相誤差を補償することができる。一実施形態では、受信器の干渉信号は、同じシステム内に配置された、受信器から離れた送信器からの通信信号によって発生する。通常のキャパシティ内で機能し、内部又は外部のいずれかの装置への通信信号を生成する送信器は、送信器と同じ又は近くの周波数帯域の外部装置からワイヤレス通信信号を得るように構成され得る受信器への干渉源として働く。受信器は、同システム内に配置された送信器の通常動作に対する犠牲となる。一実施形態では、干渉は、両方とも同じシステム上に搭載され、約２０〜３０ｄＢの分離があるような互いに間隔の近い２つのアンテナ間で発生する。アンテナと、関連する送信器及び受信器からのアンテナまでの通信パスの物理的な隔たりは固定であり、非常に短い。通信パスの短い隔たりにより、マルチパス作用又は干渉信号の同様の摂動は、送信器の通信パスと犠牲受信器の通信パスの間の直接結合からの干渉チャネルに関しては目立たない。一実施形態では、システムはラップトップコンピュータ又はノート型コンピュータである。
【００２６】
実質的に広帯域のキャンセレーションを提供するために、時間遅延が付与されて、システムに送信器からの通信信号、すなわち干渉信号及びそれを犠牲受信器への通信パス上でサンプリングしたものをシステムに提供する。２つの信号の振幅及び位相は異なり得る。振幅損失及び位相の影響を考慮するように設計されたシステムを使用して、１８０度位相シフトを、送信通信パスからのサンプリング信号を結合する際、及び受信パスに結合する際に提供することができる。振幅損失を合致させるように設計されたシステムを使用する場合、位相が１８０度シフトした時間遅延サンプリング信号は実質的に、犠牲受信器への干渉信号の広帯域キャンセレーションを提供する。別法として、サンプリング信号を、振幅を犠牲受信器への通信パス上の共通ポイントでの干渉信号の振幅に合致させるように減衰させる。システムが最初にサンプリング信号の時間遅延及び振幅を設定するためのトレーニングシーケンスの一実施形態では、干渉信号及びサンプリング信号を結合したものの信号強度が監視され、信号強度を最小化するようにサンプリング信号への時間遅延が調整され、且つサンプリング信号の振幅が調整される。時間遅延及び減衰は互いに独立して調整することができる。一実施形態では、信号強度は、サンプリング信号のパス内の時間遅延を調整することによって最小化され、サンプリングの振幅の調整はごくわずかである。一実施形態では、信号強度はサンプリング信号の振幅を調整することによって最小化され、サンプリング信号のパスでの時間遅延の調整はごくわずかである。
【００２７】
図７は、干渉信号の広帯域キャンセレーションを提供する方法の一実施形態のフローチャートを示す。方法の実施形態は、図７に示すように、ブロック７１０において補正信号の振幅を調整すること、ブロック７２０において時間遅延を補正信号に提供すること、及びブロック７３０において時間遅延を周期的にリセットし、補正信号への振幅を調整することを含む。広帯域キャンセレーションを提供する方法のこの実施形態は、本明細書において教示する調整可能遅延線を有する構造の各種実施形態を使用して実現することができる。一実施形態では、全体のパフォーマンスは、振幅を合致させ、サンプリング信号を広帯域幅にわたって干渉信号の実質的に正反対の位相にすることによって向上する。広帯域幅にわたって逆位相を実現することは大方、時間遅延を提供することを通して実現されるが、小さな位相調整を施して、システムの回路に導入される位相誤差を補償することができる。
【００２８】
一実施形態では、補正信号が、第１の通信パスに沿って送信器から通信信号をサンプリングすることによって提供される。この送信信号は、装置内の送信器と同じ場所に配置され、第２の通信パスに結合する受信器への干渉信号として働く。補正信号は、パスに沿って時間遅延線及び可変減衰器を通り、第２の通信パスに送信される。別法として、補正信号は、送信器からの通信信号を第１の通信パスに、且つ時間遅延時間及び可変減衰器に結合された補正パスに同時に送信することにより、調整可能遅延線及び可変減衰器を通り補正パスに提供される。
【００２９】
補正信号のパスは、第１の通信パスから第２の通信パスに干渉信号が通る干渉パスと異なる。一実施形態では、干渉パスは、短い固定距離内で同じ場所に配置された２つのアンテナ間の干渉チャネルである。一実施形態では、或るアンテナが或るワイヤレスプロトコルを使用して通信信号を送受信し、別のアンテナが、略同じ周波数で第２のワイヤレスプロトコルを使用して通信信号を送受信する。一例では、２つの異なるプロトコルはＢｌｕｅｔｏｏｔｈ（登録商標）及びＩＥＥＥ  ８０２．１１ｂ（登録商標）である。これらの規格の他のバージョン又は他の通信規格を２つのワイヤレス信号の送受信に使用によりできる。別の一実施形態では、高速データバスが、システムの内部装置間の通信信号のための伝搬パスを提供し、データバス上のこれらの内部通信信号の伝搬は、システム内のデータバスと同じ場所に配置されたワイヤレスチャネル上にノイズ又は干渉をもたらす。別の一実施形態では、高速データバスは、１つ又は複数の装置に、他の信号を受信するためにデータバスに結合された他の装置へのノイズ又は干渉として伝搬する通信信号を提供する。
【００３０】
時間遅延、位相シフト補正、及び振幅調整はいくつかの段階で提供される。システム設計では、２つの通信ルートのルートが、干渉信号のマルチパス作用が、第１の通信パスと第２の通信パスの間の直接結合からの干渉チャネルに関して目立たないように選択される。コンピュータの電源投入シーケンス等、システムが初期化されると、テストが生成されて、干渉信号の広帯域キャンセレーションを十分に提供するために適切な時間遅延及び振幅調整が求められる。時間遅延及び振幅調整の初期化では、繰り返しプロセスが必要な場合があり、システムが犠牲受信器による動作信号を受信していないときに行われる。次いで周期的に、システムが動作信号を送信又は受信していないときにテストを行い、送信器が生成し、犠牲受信器が収集するテスト信号の受信を最小化することができる。
【００３１】
図８は、テスト信号を使用して干渉信号の広帯域キャンセレーションを提供する方法の一実施形態のフローチャートを示す。方法の実施形態は、図８に示すように、ブロック８１０においてテスト信号を第１の信号パスに沿って送信すること、ブロック８２０においてテスト信号に関連する応答信号を第２の信号パスにから受信すること、及びブロック８３０において、第２の信号得パスから受信した信号強度を最小化するように時間遅延を調整し、振幅を調整することを含む。広帯域キャンセレーションを提供する方法のこの実施形態は、本明細書において教示する調整可能遅延線を有する構造の各種実施形態で実現することができる。一実施形態では、全体のパフォーマンスは、振幅を合致させ、サンプリング信号を広帯域幅にわたって干渉信号と実質的に正反対の位相にすることによって向上する。広帯域幅にわたって逆位相を実現することは大方、時間遅延を提供することを通して実現されるが、小さな位相調整を施して、システムの回路に導入される位相誤差を補償することができる。
【００３２】
テスト信号を使用して、時間遅延及び振幅調整を較正することができる。第１の通信パス上にテスト信号を生成して干渉信号を第２の通信パス上に提供することにより、干渉チャネルの特徴付けが提供される。これは初期セットアップ手順である。システムがコンピュータにインストールされている場合、コンピュータの電源投入される、又は再起動される度に初期較正を行うことができる。初期化後に、システムに影響を及ぼす可能性のあるあらゆる後続摂動を補正するための周期的なチェックを行うことができる。
【００３３】
時間遅延量のかなり正確な推定が、回路の物理的はレイアウト及び第１の通信パスと第２の通信パスの間の関係により提供される。物理的なレイアウトが分かることを受けて、時間遅延の範囲が提供される。次いで、繰り返しプロセスが行われて、実装すべきキャンセレーションを判断する。繰り返しプロセスは時間遅延及び振幅バリエーションのセットを効率的に捜索し、この中から犠牲受信器でのチャネルの反対側で最低パワー又は信号強度をもたらすセットが選択される。繰り返しプロセスは、テスト信号用にいくつかの周波数でテストすることを含むことができる。絶対的な時間遅延を測定することに代えて、繰り返しプロセスは最適なキャンセレーションを提供するように定められる。別法として、時間遅延が測定されてメモリに記憶され、コントローラがこれを使用して補正信号への時間遅延の調整を管理する。一実施形態では、干渉パスは、同じ又は近くの周波数帯域で２つの異なるプロトコルの下で動作する２つの固定アンテナ間にある。
【００３４】
時間遅延技法により干渉キャンセレーションを提供する各種実施形態は、適応周波数ホッピング技法と併せて使用することができる。干渉キャンセレーションのこれらの実施形態は実質的に、関心帯域全体にわたるキャンセレーションに備えることができる。そして、従来の位相補正技法に必要な周波数ホップシーケンス内の各周波数の較正を回避することができる。時間遅延広帯域キャンセレーションの実施形態は、選択された周波数帯域中の各関心周波数毎に較正する必要なく搬送周波数の較正を提供する。信号が、約２．４０ＧＨｚ〜約２．４８０ＧＨｚでホップするＢｌｕｅｔｏｏｔｈ（登録商標）信号として送信される一実施形態では、時間遅延を２．４４０ＧＨｚの搬送周波数に設定して、周波数帯域全体にわたる広帯域キャンセレーションを提供することができる。
【００３５】
初期スタートアップでの較正及び時間遅延に対する周期的な調整は、システムが動作信号の生成及び受信に関してアイドルである間に行われる。コントローラが、時間遅延の調整、振幅調整、及び任意の位相補正を調整する手順を管理する。フラグをコントローラに提供して、コントローラが通信信号の動作処理中にさらなるテストシーケンスを開始しないようにすることができる。一実施形態では、動作信号トラフィックがシステム内で送信中又は受信中のいずれかであるとき、制御は基本的に時間遅延、振幅調整、及び任意の位相補正を静止させたままにする。一実施形態では、送信動作及び受信動作の両方からのトラフィックの性質は、数ミリ秒未満から１００ミリ秒未満までの範囲の期間続くような断続的なものである。一般に、動作信号がシステム通信パス上にある時間は非常に短い。各動作送信パケット又は動作受信パケットの終了時に、動作通信チャネルが空いている場合、さらなる較正を周期的に行うことができる。テスト手順又は較正の間、時間遅延パラメータ、振幅調整パラメータ、及び位相補正パラメータは変わらず、それぞれの設定又は値はメモリに保持することができる。一実施形態では、これらのパラメータはコントローラがアクセス可能なルックアップテーブルに提供される。
【００３６】
図９は、広帯域キャンセラ９０５を有するシステム９００の一実施形態のブロック図を示す。システム９００は、コントローラ９１０、電子装置９２０、及びバス９３０を備え、バス９３０がコントローラ９１０と電子装置９２０の間、及びコントローラ９１０と広帯域キャンセラ９０５の間に導電性を提供する。一実施形態は、バス９３０に結合される追加の周辺機器（複数可）９６０を備えることができる。一実施形態では、広帯域キャンセラ９０５はアンテナ９４０に結合される。一実施形態では、広帯域キャンセラ９０５はアンテナ９４０及びアンテナ９５０に結合される。電子システム９００は、情報処理装置、ワイヤレスシステム、遠隔通信システム、光ファイバシステム、電気光学システム、及びコンピュータを含むことができるがこれらに限定されない。
【００３７】
一実施形態では、コントローラ９１０は、アンテナ９４０及びアンテナ９５０を使用してワイヤレス信号を送受信し、アンテナ９４０は或るワイヤレスプロトコルを使用して動作し、アンテナ９５０は別のワイヤレスプロトコルを使用して動作する。一実施形態では、一方のワイヤレスプロトコルはＢｌｕｅｔｏｏｔｈ（登録商標）であり、他方のワイヤレスプロトコルはＩＥＥＥ  ８０２．１１ｂ（登録商標）である。これらの規格の他のバージョン又は他の通信規格を２つのワイヤレス信号の送受信に使用することができる。別の一実施形態では、バス９３０は、通信信号の伝搬パスをシステム９００の内部装置間に提供する高速データバスであり、データバス９３０上のこれらの内部通信信号の伝搬は、アンテナ９５０を含み、システム９００内のデータバス９３０と同じ場所に配置された通信パス等のワイヤレスチャネル上にノイズ又は干渉をもたらす。別の一実施形態では、バス９３０は、１つ又は複数の装置に、他の信号を受信するためにデータバス９３０に結合された他の装置に対するノイズ又は干渉として伝搬する通信信号を提供する高速データバスである。
【００３８】
一実施形態では本明細書において教示するように構成される広帯域キャンセラ９０５は、或るアンテナからの他方のアンテナに対する干渉信号の広帯域キャンセレーションを、２つのアンテナが同じ又は近くの周波数帯域の信号を使用して動作している場合に提供する。一実施形態では、コントローラ９１０はプロセッサである。一実施形態では、コントローラ９１０はプロセッサであり、周辺機器９６０は、広帯域キャンセラ９０５を管理するキャンセレーションコントローラ並びにアンテナ９４０及びアンテナ９５０からワイヤレス信号を付与及び取得する送受信器を含む。
【００３９】
周辺機器９６０は、ディスプレイ、追加の記憶メモリ、又はコントローラ９１０と併せて動作可能な他の制御装置を含むことができる。別法として、周辺機器９６０は、ディスプレイ、追加の記憶メモリ、又はコントローラ９１０、広帯域キャンセラ９０５、及び／又は電子装置９２０と併せて動作可能な他の制御装置を含むことができる。
【００４０】
図１０は、広帯域キャンセラ１００５を有するシステム１０００の一実施形態のブロック図を示す。システム１０００は、コントローラ１０１０、電子装置１０２０、及びバス１０３０を備え、バス１０３０がコントローラ１０１０と電子装置１０２０の間、及びコントローラ１０１０と広帯域キャンセラ１００５の間に導電性を提供する。一実施形態は、バス１０３０に結合された追加の周辺機器（複数可）１０６０を備えることができる。一実施形態では、広帯域キャンセラ１００５は、通信パス１０４５からのデータを受信するデータモジュール１０４０に結合され、これはバスであることができる。広帯域キャンセラ１００５は、別のデータモジュール１０５０への通信パス１０５５にも結合される。情報をデータモジュール１０４０に送信する送信器及び情報をデータモジュール１０５０から受信する受信器は、周辺機器１０６０又はコントローラ１０１０によって提供することができ、送信器及び受信器はシステム１０００内の同じ場所に配置される。すなわち、比較的短い距離だけ離れて同システム内に配置される。一実施形態では、データモジュール１０５０は、受信モジュール１０５０を単一受信器として有するシステム１００のワイヤレスデータ及び通信を受信するアンテナを有する受信モジュールである。電子システム１０００は、情報処理装置、ワイヤレスシステム、遠隔通信システム、光ファイバシステム、電気光学システム、及びコンピュータを含むことができるがこれらに限定されない。
【００４１】
一実施形態では、コントローラ１０１０又は周辺機器１０６０は、通信パス１０４５を使用してデータモジュール１０４０と通信して信号を送受信し、受信モジュール１０５０からシステム１０００外部の信号を受信する。一実施形態では、受信モジュール１０５０は、Ｂｌｕｅｔｏｏｔｈ（登録商標）又はＩＥＥＥ  ８０２．１１ｂ（登録商標）等のワイヤレスプロトコルを使用して動作している。これらの規格の他のバージョン又は他の通信規格を受信モジュール１０５０により使用によりできる。別の一実施形態では、バス１０４５は、システム１０００の内部装置間に通信信号の伝搬パスを提供する高速データバスであり、データモジュール１０４０が、受信モジュール１０５０と通信パス１０５５の組み合わせ等のワイヤレスチャネル上にノイズ又は干渉をもたらす。別の実施形態では、通信パス１０５５はバスであり、データモジュール１０５０は、バス１０５５を介してシステム１０００の他の装置と通信している電子装置である。
【００４２】
一実施形態では本明細書において教示するように構成される広帯域キャンセラ１００５は、データモジュール１０４０を含む通信パス１０４５からデータモジュール１０５０を含む通信パス１０５５までの干渉信号の広帯域キャンセレーションを提供し、データモジュール１０４０及びデータモジュール１０５０は同じ又は近くの周波数帯域の信号を使用して動作している。一実施形態では、コントローラ１０１０はプロセッサである。一実施形態では、コントローラ１０１０はプロセッサであり、周辺機器１０６０は、広帯域キャンセラ１００５を管理するキャンセレーションコントローラ並びにデータモジュール１０４０及びデータモジュール１０５０から信号を付与及び取得する送受信器を含む。
【００４３】
周辺機器１０６０は、ディスプレイ、追加の記憶メモリ、又はコントローラ１０１０と併せて動作可能な他の制御装置を含むことができる。別法として、周辺機器１０６０は、ディスプレイ、追加の記憶メモリ、又はコントローラ１０１０、広帯域キャンセラ１００５、及び／又は電子装置１０２０と併せて動作可能な他の制御装置を含むことができる。
【００４４】
特定の実施形態を本明細書において図示し説明したが、同じ目的を達成するように計算された任意のアレンジメントを、示した特定の実施形態に代えることができることを当業者は理解しよう。本願は、本発明の実施形態のあらゆる適合及び変形を包含することを意図する。上記説明は例示を意図し、限定を意図せず、本明細書において採用した言い回し又は用語は限定ではなく説明を目的としたものであることを理解されたい。上記実施形態及び他の実施形態の組み合わせが、上記説明を検討すれば当業者に明らかであろう。本発明の範囲は、上記構造の実施形態及び組立方法が使用される他のあらゆる応用を含む。本発明の実施形態の範囲は、添付の特許請求の範囲並びに係る特許請求の範囲が権利付与する等価物の全範囲を参照して決められるべきである。
【図面の簡単な説明】
【００４５】
【図１】本発明による、システムの２つの信号パス間の干渉信号の広帯域キャンセレーションを提供するシステムの一実施形態を示す。
【図２】本発明による、システムの２つの信号パス間の干渉信号の広帯域キャンセレーションを提供する、遅延線及び減衰器を有するシステムの一実施形態を示す。
【図３】本発明による、調整可能遅延線を有する広帯域キャンセラを有するシステムの要素の一実施形態のブロック図を示す。
【図４】本発明による、いくつかの微小電気機械スイッチを使用して図３のシステムに適用することができる調整可能遅延線の一実施形態を示す。
【図５】本発明による、信号送信を制御する調整可能な属性を有する送信媒体を使用する、図３のシステムに適用することができる調整可能遅延線の一実施形態を示す。
【図６】本発明による、干渉信号の広帯域キャンセレーションを提供する方法の一実施形態のフローチャートである。
【図７】本発明による、干渉信号の広帯域キャンセレーションを提供する方法の一実施形態のフローチャートを示す。
【図８】本発明による、テスト信号を使用して干渉信号の広帯域キャンセレーションを提供する方法の一実施形態のフローチャートを示す。
【図９】本発明による、広帯域キャンセラを有するシステムの一実施形態のブロック図を示す。
【図１０】本発明による、広帯域キャンセラを有するシステムの別の実施形態のブロック図を示す。
【図１】
2007507983.tif 000003
【図２】
2007507983.tif 000004
【図３】
2007507983.tif 000005
【図４】
2007507983.tif 000006
【図５】
2007507983.tif 000007
【図６】
2007507983.tif 000008
【図７】
2007507983.tif 000009
【図８】
2007507983.tif 000010
【図９】
2007507983.tif 000011
【図１０】
2007507983.tif 000012
【国際調査報告】
2007507983.tif 000013
2007507983.tif 000014
2007507983.tif 000015